【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
少なくとも表面に弾性層と内部に固定された磁界発生手段を具備し、一成分磁性現像剤を磁力により保持する現像剤担持体と、該現像剤担持体の現像剤を規制する現像剤量規制手段とを有し、該現像剤担持体が被現像体を押圧しながら被現像体を現像剤で現像する現像装置において、
該現像剤量規制手段は該現像剤担持体の回転方向に対してカウンター方向に当接される当接部と、該当接部に該現像剤担持体から離れる方向に設けられた段差部と、該段差部から該現像剤担持体の回転方向の上流側に設けられた離間部とを有し、
且つ該現像剤量規制手段における離間部が、該磁界発生手段における磁極の一つの近傍に位置し、該離間部が少なくとも該磁極の発生する磁束密度Ｂの（１）式を満たす位置を含むことを特徴とする現像装置。
｜Ｂｒ｜／｜Ｂ｜≧０．５・・・（１）式
ここで、｜Ｂ｜は、磁束密度Ｂの大きさ（｜Ｂ｜＝｜Ｂｒ２＋Ｂθ２｜１／２）であり、Ｂｒは、該現像剤担持体の表面に形成される磁束密度Ｂのうち、該現像剤担持体の表面に対して垂直成分、Ｂθは該現像剤担持体の表面に対して水平成分である。
【請求項２】
該現像剤量規制手段における当接部が、該磁界発生手段における最近接極により発生する磁束密度と（２）式を満たす関係に位置することを特徴とする請求項１に記載の現像装置。
｜Ｂｒ｜／｜Ｂ｜＜０．５・・・（２）式
【請求項３】
該現像剤量規制手段が、少なくとも導電部材と、該導電部材に直流バイアスを印加する電圧印加手段を有し、該導電部材に該現像剤担持体に対して現像剤と同極性のバイアスを印加する事を特徴とする請求項１と２に記載の現像装置。
【請求項４】
該現像剤量規制手段が、少なくとも導電部材と、該導電部材に交番バイアスを重畳した直流バイアスを印加する電圧印加手段を有し、該直流バイアスは該現像剤担持体に対して現像剤と同極性のバイアスである事を特徴とする請求項１または２に記載の現像装置。
【請求項５】
該現像剤担持体が直流バイアスに交番バイアスを重畳したバイアスＶを印加する電圧印加手段を具備し、該現像バイアスの絶対値の最大値｜Ｖ｜ｍａｘと該帯電手段により被帯電体の表面を一様に帯電する所定の電圧値Ｖｄ（暗電位）の関係が｜Ｖ｜ｍａｘ≦｜Ｖｄ｜を満たし、該バイアスＶを該現像剤担持体に印加して、現像剤を被現像体に現像することを特徴とする請求項１乃至３の何れかに記載の現像装置。
【請求項６】
該現像剤量規制手段における段差部の長さＨＬと離間部の長さＥＬの関係が
ＨＬ≦ＥＬ
である事を特徴とする請求項１乃至５の何れかに記載の現像装置。
【請求項７】
該現像剤量規制手段における段差部の長さＨＬを０．５ｍｍ以上３ｍｍ以下とする事を特徴とする請求項１乃至６の何れかに記載の現像装置。
【請求項８】
該現像剤量規制手段における離間部の長さＥＬを１ｍｍ以上１０ｍｍ以下とする事を特徴とする請求項１乃至７の何れかに記載の現像装置。
【請求項９】
画像形成装置に着脱可能であり、少なくとも請求項１乃至７の何れかに記載の現像装置を含むことを特徴とするプロセスカートリッジ。
【請求項１０】
少なくとも、像担持体、該像担持体を帯電する帯電装置、該像担持体に形成された静電潜像を現像する現像装置、該像担持体の現像剤を被転写材に転写する転写手段とを有する画像形成装置において、該現像装置は請求項１乃至８の何れかに記載の現像装置であることを特徴とする画像形成装置。
【請求項１１】
少なくとも、像担持体、該像担持体を帯電する帯電装置、該像担持体に形成された静電潜像を現像する現像装置、該像担持体の現像剤を被転写材に転写する転写手段とを有する画像形成装置において、該現像装置は請求項１乃至８の何れかに記載の現像装置であるとともに、像担持体上に残留した転写残現像剤を該現像装置にて回収することを特徴とする画像形成装置。
【手続補正２】
【補正対象書類名】明細書
【補正対象項目名】００１０
【補正方法】変更
【補正の内容】
【００１０】
また、トナー特性が低下してくると、現像器内の循環の影響を受けやすいという問題も生じた。具体的には、機械的あるいは重力を使用した循環において、特に現像ローラ周辺でほとんど現像剤（トナー）が入れ替わらず循環しない領域ができる。一方循環している現像剤は一定の特性低下が生じている。このように二種類の現像剤が、容器内のトナーが減少したときに、混ざると凝集などを生じカブリなどの問題を生じた。更に、弾性ローラそのものに起因する画像不良がある。
【手続補正３】
【補正対象書類名】明細書
【補正対象項目名】００１３
【補正方法】変更
【補正の内容】
【００１３】
発明（１）：少なくとも表面に弾性層と内部に固定された磁界発生手段を具備し、一成分磁性現像剤を磁力により保持する現像剤担持体と、該現像剤担持体の現像剤を規制する現像剤量規制手段とを有し、該現像剤担持体が被現像体を押圧しながら被現像体を現像剤で現像する現像装置において、
該現像剤量規制手段は該現像剤担持体の回転方向に対してカウンター方向に当接される当接部と、該当接部に該現像剤担持体から離れる方向に設けられた段差部と、該段差部から該現像剤担持体の回転方向の上流側に設けられた離間部とを有し、
且つ該現像剤量規制手段における離間部が、該磁界発生手段における磁極の一つの近傍に位置し、該離間部が少なくとも該磁極の発生する磁束密度Ｂの（１）式を満たす位置を含むことを特徴とする現像装置。
【手続補正４】
【補正対象書類名】明細書
【補正対象項目名】００１４
【補正方法】変更
【補正の内容】
【００１４】
｜Ｂｒ｜／｜Ｂ｜≧０．５・・・（１）式
ここで、｜Ｂ｜は、磁束密度Ｂの大きさ（｜Ｂ｜＝｜Ｂｒ２＋Ｂθ２｜１／２）であり、Ｂｒは、該現像剤担持体の表面に形成される磁束密度Ｂのうち、該現像剤担持体の表面に対して垂直成分、Ｂθは該現像剤担持体の表面に対して水平成分である。
【手続補正５】
【補正対象書類名】明細書
【補正対象項目名】００１８
【補正方法】変更
【補正の内容】
【００１８】
発明（５）：該現像剤担持体が直流バイアスに交番バイアスを重畳したバイアスＶを印加する電圧印加手段を具備し、該現像バイアスの絶対値の最大値｜Ｖ｜ｍａｘと該帯電手段により被帯電体の表面を一様に帯電する所定の電圧値Ｖｄ（暗電位）の関係が｜Ｖ｜ｍａｘ≦｜Ｖｄ｜を満たし、該バイアスＶを該現像剤担持体に印加して、現像剤を被現像体に現像することを特徴とする（１）〜（３）の何れかに記載の現像装置。
【手続補正６】
【補正対象書類名】明細書
【補正対象項目名】００２３
【補正方法】変更
【補正の内容】
【００２３】
発明（１０）：少なくとも、像担持体、該像担持体を帯電する帯電装置、該静電潜像を現像する現像装置、該像担持体の現像剤を被転写材に転写する転写手段とを有する電子写真画像形成装置において、該現像装置は発明（１）〜（８）に記載の現像装置であることを特徴とする電子写真画像形成装置。
【手続補正７】
【補正対象書類名】明細書
【補正対象項目名】００２４
【補正方法】変更
【補正の内容】
【００２４】
発明（１１）：少なくとも、像担持体、該像担持体を帯電する帯電装置、該静電潜像を現像する現像装置、該像担持体の現像剤を被転写材に転写する転写手段とを有する電子写真画像形成装置において、該現像装置は発明（１）〜（８）に記載の現像装置であるとともに、像担持体上に残留した転写残現像剤を該現像装置にて回収することを特徴とする電子写真画像形成装置。
【手続補正８】
【補正対象書類名】明細書
【補正対象項目名】００６３
【補正方法】変更
【補正の内容】
【００６３】
本発明における磁束密度の測定はベル社製のガウスメータのシリーズ９９００、プローブＡ−９９−１５３を用いて行った。同ガウスメータはガウスメータ本体に接続された棒状のアキシャルプローブを有する。現像スリーブを水平に固定し、内部のマグネットロールは回転自在に取付ける。この現像スリーブに対し若干の間隔を開けて水平姿勢のプローブを直角に配置し、現像スリーブの中心とプローブの中心が略同一水平面上に位置するようにして固定し、その状態で磁束密度を測定する。マグネットロールは現像スリーブと略同心の円筒体であり、現像スリーブとマグネットロールとの間の間隔はどこでも等しいと考えてよい。従ってマグネットローラを回転しながら、現像スリーブの表面位置及び表面位置における法線方向の磁束密度（垂直成分）を測定することにより、現像スリーブの周方向について全ての位置で測定したものに代えることができる。得られた周方向の磁束密度データより各位置のピーク強度を求め、Ｂｒとした。次に、垂直に配したプローブを現像スリーブ６０ｂの周方向の接線方向に９０度回転させ、マグネットローラを回転することにより、現像スリーブの表面位置及び表面位置における接線方向の磁束密度（水平成分）を測定し、Ｂθとした。
【手続補正９】
【補正対象書類名】明細書
【補正対象項目名】００６９
【補正方法】変更
【補正の内容】
【００６９】
本現像装置は規制ブレード６０ｃとして厚さ１００μｍのリン青銅を用い、さらに本発明における効果を得るため、規制ブレードにスリーブとスリーブ回転方向に対してカウンター方向に当接してトナー量を規制すると同時に摩擦帯電を行う当接部と、当接部からスリーブと反対方向且つ略垂直方向に形成される段差部、さらに段差部からスリーブ回転方向上流側に設けられる離間部の３部分を形成した。